【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
第１無線通信デバイスにより送信される信号を第２無線通信デバイスのネットワークインタフェースが受信できない低電力状態に前記ネットワークインタフェースがあるとの指示を、前記第１無線通信デバイスで受信する段階と、
前記第２無線通信デバイスの前記ネットワークインタフェースが前記低電力状態にあるとの前記指示の受信に応答し、前記第２無線通信デバイスのためのデータを前記第１無線通信デバイスでバッファリングする段階と、
前記第２無線通信デバイスの前記ネットワークインタフェースが前記低電力状態にないとの指示の受信の前に、前記第１無線通信デバイスでバッファリングされた前記第２無線通信デバイスのための前記データを前記第２無線通信デバイスに送信するよう要求するリクエストを含むデータユニットを前記第２無線通信デバイスから、前記第１無線通信デバイスで受信する段階と、
前記第１無線通信デバイスでバッファリングされた前記第２無線通信デバイスのための前記データが存在するかどうかを、前記第１無線通信デバイスで判断する段階と、
前記第１無線通信デバイスでバッファリングされた前記第２無線通信デバイスのための前記データが存在するかどうかの指示を、前記リクエストに応答して、前記第１無線通信デバイスにより前記第２無線通信デバイスへ送信する段階と、
前記第１無線通信デバイスでバッファリングされた前記第２無線通信デバイスのための前記データが存在すると判断された場合、前記第１無線通信デバイスでバッファリングされた前記第２無線通信デバイスのための前記データを、前記第１無線通信デバイスにより前記第２無線通信デバイスへ送信する段階と
を備える方法。
【請求項２】
前記リクエストを含む前記第２無線通信デバイスからの前記データユニットは、前記第１無線通信デバイスのためのデータも含む、請求項１に記載の方法。
【請求項３】
前記第２無線通信デバイスからの前記データユニットの受信に対し確認応答する確認応答データユニットを、前記第２無線通信デバイスへ送信する段階をさらに備える、請求項１または２に記載の方法。
【請求項４】
前記確認応答データユニットは、前記第１無線通信デバイスでバッファリングされた前記第２無線通信デバイスのための前記データが存在するかどうかの前記指示を含む、請求項３に記載の方法。
【請求項５】
前記第１無線通信デバイスでバッファリングされた前記第２無線通信デバイスのための前記データが存在する場合、前記確認応答データユニットは、前記第１無線通信デバイスでバッファリングされた前記第２無線通信デバイスのための前記データを含む、請求項３または４に記載の方法。
【請求項６】
前記第１無線通信デバイスでバッファリングされた前記第２無線通信デバイスのための前記データが存在するかどうかを判断する前記段階は、前記第１無線通信デバイスのメモリに格納されたビットマップを分析する段階を有し、
前記ビットマップの１ビットは、前記第２無線通信デバイスに対応し、
前記１ビットは、前記第１無線通信デバイスでバッファリングされた前記第２無線通信デバイスのための前記データが存在するかどうかを示す、
請求項１から５のいずれか１項に記載の方法。
【請求項７】
前記第１無線通信デバイスでバッファリングされた前記第２無線通信デバイスのための前記データが存在するかどうかの前記指示を送信する前記段階は、前記第１無線通信デバイスのメモリに格納されたビットマップの少なくとも一部を送信する段階を有し、
前記ビットマップの１ビットは、前記第２無線通信デバイスに対応し、
前記１ビットは、前記第１無線通信デバイスでバッファリングされた前記第２無線通信デバイスのための前記データが存在するかどうかを示す、
請求項１から５のいずれか１項に記載の方法。
【請求項８】
前記第１無線通信デバイスでバッファリングされた複数の通信デバイスのためのデータが存在するかどうかを示す、前記第１無線通信デバイスのメモリに格納された前記第２無線通信デバイスの識別子に関連するビットマップを分析し、サイズの小さなビットマップを生成する段階をさらに備え、
前記第１無線通信デバイスでバッファリングされた前記第２無線通信デバイスのための前記データが存在するかどうかの前記指示を送信する前記段階は、前記サイズの小さなビットマップを送信する段階を有する、
請求項１から５のいずれか１項に記載の方法。
【請求項９】
前記第１無線通信デバイスでバッファリングされた前記第２無線通信デバイスのための前記データが存在すると判断された場合、前記第１無線通信デバイスでバッファリングされた前記第２無線通信デバイスのための前記データを、前記第１無線通信デバイスがいつ送信できる状態になるのかに関する遅延時間の指示を、前記第１無線通信デバイスにより前記第２無線通信デバイスへ送信する段階をさらに備える、請求項１から８のいずれか１項に記載の方法。
【請求項１０】
前記遅延時間は、前記第１無線通信デバイスにより送信される次のビーコンデータユニットに対応する、請求項９に記載の方法。
【請求項１１】
前記第１無線通信デバイスでバッファリングされた前記第２無線通信デバイスのための前記データが存在すると判断された場合、
前記第１無線通信デバイスでバッファリングされた前記第２無線通信デバイスのための前記データを送信するスケジュールを決定する段階と、
前記スケジュールの指示を前記第１無線通信デバイスにより前記第２無線通信デバイスへ送信する段階と
をさらに備える、請求項１から１０のいずれか１項に記載の方法。
【請求項１２】
（ｉ）前記第２無線通信デバイスのためのブロードキャストデータユニットおよび／またはマルチキャストデータユニットを前記第１無線通信デバイスがいつ送信するのかの、前記第２無線通信デバイスによる判断を補助する情報と、（ｉｉ）タイムスタンプと、（ｉｉｉ）ベーシックサービスセット（ＢＳＳ）内の通信パラメータの変更に関する情報とのうち１以上を、前記リクエストに応答し、前記第１無線通信デバイスにより前記第２無線通信デバイスへ送信する段階をさらに備える、請求項１から１１のいずれか１項に記載の方法。
【請求項１３】
無線通信ネットワークで用いられる第１通信デバイスであって、
ネットワークインタフェースを備え
前記ネットワークインタフェースは、
第１通信デバイスにより送信される信号を第２通信デバイスのネットワークインタフェースが受信できない低電力状態に前記ネットワークインタフェースがあるとの前記第２通信デバイスからの指示の受信に応答し、前記第２通信デバイスのためのデータをバッファリングし、
前記第１通信デバイスでバッファリングされた前記第２通信デバイスのための前記データが存在するかどうかを判断し、
前記第１通信デバイスでバッファリングされた前記第２通信デバイスのための前記データを前記第２通信デバイスに送信するよう要求するリクエストを含む、前記第２通信デバイスから受信したデータユニットに応答し、かつ、前記第２通信デバイスの前記ネットワークインタフェースが前記低電力状態にないとの指示の受信の前に、前記第１通信デバイスでバッファリングされた前記第２通信デバイスのための前記データが存在するかどうかの指示を前記第２通信デバイスへ送信し、
前記第１通信デバイスでバッファリングされた前記第２通信デバイスのための前記データが存在すると判断された場合、前記第１通信デバイスでバッファリングされた前記第２通信デバイスのための前記データを、前記第２通信デバイスへ送信する、
第１通信デバイス。
【請求項１４】
前記リクエストを含む前記第２通信デバイスからの前記データユニットは、前記第１通信デバイスのためのデータも含む、請求項１３に記載の第１通信デバイス。
【請求項１５】
前記ネットワークインタフェースは、前記第２通信デバイスからの前記データユニットの受信に対し確認応答する確認応答データユニットを、前記第２通信デバイスへ送信する、請求項１３または１４に記載の第１通信デバイス。
【請求項１６】
前記確認応答データユニットは、前記第１通信デバイスでバッファリングされた前記第２通信デバイスのための前記データが存在するかどうかの前記指示を含む、請求項１５に記載の第１通信デバイス。
【請求項１７】
前記第１通信デバイスでバッファリングされた前記第２通信デバイスのための前記データが存在する場合、前記ネットワークインタフェースは、前記第１通信デバイスでバッファリングされた前記第２通信デバイスのための前記データを含めて前記確認応答データユニットを生成する、請求項１５または１６に記載の第１通信デバイス。
【請求項１８】
前記ネットワークインタフェースは、前記第１通信デバイスのメモリに格納されたビットマップを分析し、前記第１通信デバイスでバッファリングされた前記第２通信デバイスのための前記データが存在するかどうかを判断し、
前記ビットマップの１ビットは、前記第２通信デバイスに対応し、
前記１ビットは、前記第１通信デバイスでバッファリングされた前記第２通信デバイスのための前記データが存在するかどうかを示す、
請求項１３から１７のいずれか１項に記載の第１通信デバイス。
【請求項１９】
前記ネットワークインタフェースは、前記第１通信デバイスでバッファリングされた前記第２通信デバイスのための前記データが存在するかどうかの前記指示として、前記第１通信デバイスのメモリに格納されたビットマップの少なくとも一部を送信し、
前記ビットマップの１ビットは、前記第２通信デバイスに対応し、
前記１ビットは、前記第１通信デバイスでバッファリングされた前記第２通信デバイスのための前記データが存在するかどうかを示す、
請求項１３から１７のいずれか１項に記載の第１通信デバイス。
【請求項２０】
前記ネットワークインタフェースは、
前記第１通信デバイスでバッファリングされた複数の通信デバイスのためのデータが存在するかどうかを示す、前記第１通信デバイスのメモリに格納された前記第２通信デバイスの識別子に関連するビットマップを分析し、サイズの小さなビットマップを生成し、
前記サイズの小さなビットマップを前記第２通信デバイスへ送信する、
請求項１３から１７のいずれか１項に記載の第１通信デバイス。
【請求項２１】
前記第１通信デバイスでバッファリングされた前記第２通信デバイスのための前記データが存在すると判断された場合、前記ネットワークインタフェースは、前記第１通信デバイスでバッファリングされた前記第２通信デバイスのための前記データを、前記第１通信デバイスがいつ送信できる状態になるのかに関する遅延時間の指示を、前記第２通信デバイスへ送信する、請求項１３から２０のいずれか１項に記載の第１通信デバイス。
【請求項２２】
前記遅延時間は、前記第１通信デバイスにより送信される次のビーコンデータユニットに対応する、請求項２１に記載の第１通信デバイス。
【請求項２３】
前記第１通信デバイスでバッファリングされた前記第２通信デバイスのための前記データが存在すると判断された場合、前記ネットワークインタフェースは、
前記第１通信デバイスでバッファリングされた前記第２通信デバイスのための前記データを送信するスケジュールを決定し、
前記スケジュールの指示を前記第２通信デバイスへ送信する
請求項１３から２２のいずれか１項に記載の第１通信デバイス。
【請求項２４】
前記ネットワークインタフェースは、（ｉ）前記第２通信デバイスのためのブロードキャストデータユニットおよび／またはマルチキャストデータユニットを前記第１通信デバイスがいつ送信するのかの、前記第２通信デバイスによる判断を補助する情報と、（ｉｉ）タイムスタンプと、（ｉｉｉ）ベーシックサービスセット（ＢＳＳ）内の通信パラメータの変更に関する情報とのうち１以上を、前記リクエストに応答し、前記第２通信デバイスへ送信する、請求項１３から２３のいずれか１項に記載の第１通信デバイス。
【請求項２５】
第１無線通信デバイスのネットワークインタフェースを、前記ネットワークインタフェースが（ｉ）無線通信媒体を介しての信号送信と、（ｉｉ）前記無線通信媒体を介しての信号受信との少なくともいずれか一方を行えない低電力状態から、前記ネットワークインタフェースが（ｉ）前記無線通信媒体を介しての信号送信と、（ｉｉ）前記無線通信媒体を介しての信号受信との両方を行えるアクティブ状態へ移行させる段階と、
前記ネットワークインタフェースを前記アクティブ状態へ移行させる前記段階の後、通信チャネルが利用可能かどうかを判断する段階と、
第２無線通信デバイスでバッファリングされた前記第１無線通信デバイスのためのデータを前記第１無線通信デバイスへ送信するよう前記第２無線通信デバイスに要求するリクエストを含むデータユニットを生成する段階と、
前記通信チャネルが利用可能であるとの判断に応答し、前記通信チャネルを介して、前記リクエストを含む前記データユニットを前記第２無線通信デバイスへ送信する段階と、
前記第２無線通信デバイスでバッファリングされた前記第１無線通信デバイスのための前記データが存在するかどうかの指示を、前記通信チャネルを介して前記第２無線通信デバイスから受信する段階と、
前記第２無線通信デバイスでバッファリングされた前記第１無線通信デバイスのための前記データが存在する場合、前記第２無線通信デバイスでバッファリングされた前記第１無線通信デバイスのための前記データを前記第２無線通信デバイスから受信する段階と
を備える方法。
【請求項２６】
前記リクエストを含む前記データユニットを生成する前記段階は、前記第２無線通信デバイスへ送信するデータを含めて前記データユニットを生成する段階を有する、請求項２５に記載の方法。
【請求項２７】
前記リクエストを含む前記データユニットの受信に対し確認応答する確認応答データユニットを、前記通信チャネルを介して前記第２無線通信デバイスから受信する段階をさらに備える、請求項２５または２６に記載の方法。
【請求項２８】
前記確認応答データユニットは、前記第２無線通信デバイスでバッファリングされた前記第１無線通信デバイスのための前記データが存在するかどうかの前記指示を含む、請求項２７に記載の方法。
【請求項２９】
前記第２無線通信デバイスでバッファリングされた前記第１無線通信デバイスのための前記データが存在する場合、前記確認応答データユニットは、前記第２無線通信デバイスでバッファリングされた前記第１無線通信デバイスのための前記データを含む、請求項２７または２８に記載の方法。
【請求項３０】
前記第２無線通信デバイスでバッファリングされた前記第１無線通信デバイスのための前記データが存在するかどうかの前記指示に基づいた、前記第２無線通信デバイスでバッファリングされた前記第１無線通信デバイスのための前記データが存在しないとの判断に応答し、前記第１無線通信デバイスの前記ネットワークインタフェースを前記アクティブ状態から前記低電力状態へ移行させる段階をさらに備える、請求項２５から２９のいずれか１項に記載の方法。
【請求項３１】
前記第２無線通信デバイスでバッファリングされた前記第１無線通信デバイスのための前記データが存在する場合、
前記第２無線通信デバイスでバッファリングされた前記第１無線通信デバイスのための前記データを受信すべく、前記第１無線通信デバイスの前記ネットワークインタフェースを前記低電力状態から前記アクティブ状態に移行させる時間を決定する段階と、
前記第２無線通信デバイスでバッファリングされた前記第１無線通信デバイスのための前記データが存在するかどうかの前記指示の受信の後、前記第１無線通信デバイスの前記ネットワークインタフェースを前記アクティブ状態から前記低電力状態へ移行させる段階と、
決定された前記時間において、前記第１無線通信デバイスの前記ネットワークインタフェースを前記低電力状態から前記アクティブ状態へ移行させる段階と、
前記第２無線通信デバイスでバッファリングされた前記第１無線通信デバイスのための前記データを前記第２無線通信デバイスから、前記決定された時間の後に受信する段階と
をさらに備える、請求項２５から３０のいずれか１項に記載の方法。
【請求項３２】
前記決定された時間の後、前記第２無線通信デバイスからビーコンデータユニットを受信する段階と、
前記ビーコンデータユニットを処理し、前記第２無線通信デバイスでバッファリングされた前記第１無線通信デバイスのための前記データを受信すべく、前記第１無線通信デバイスの前記ネットワークインタフェースを前記低電力状態から前記アクティブ状態へ移行させる次の時間を決定する段階と、
前記ビーコンデータユニットの受信の後、前記第１無線通信デバイスの前記ネットワークインタフェースを前記アクティブ状態から前記低電力状態へ移行させる段階と、
決定された前記次の時間に、前記第１無線通信デバイスの前記ネットワークインタフェースを前記低電力状態から前記アクティブ状態に移行させる段階と、
前記第２無線通信デバイスでバッファリングされた前記第１無線通信デバイスのための前記データを前記第２無線通信デバイスから、前記決定された次の時間の後に受信する段階と
をさらに備える、請求項３１に記載の方法。
【請求項３３】
（ｉ）前記ネットワークインタフェースを前記低電力状態から前記アクティブ状態へ移行させる前記段階と、（ｉｉ）前記リクエストを含む前記データユニットを前記第２無線通信デバイスへ送信する前記段階との間に、前記第２無線通信デバイスはビーコンデータユニットを送信しない、請求項２５から３２のいずれか１項に記載の方法。
【請求項３４】
（ｉ）前記リクエストを含む前記データユニットを前記第２無線通信デバイスへ送信する前記段階と、（ｉｉ）前記第２無線通信デバイスでバッファリングされた前記第１無線通信デバイスのための前記データを受信する前記段階との間に、前記第１無線通信デバイスの前記ネットワークインタフェースは再度、前記低電力状態に入らない、請求項２５から３３のいずれか１項に記載の方法。
【請求項３５】
無線通信ネットワークで用いられる第１通信デバイスであって、
低電力状態からアクティブ状態に移行するネットワークインタフェースを備え、
前記ネットワークインタフェースは、
前記ネットワークインタフェースが前記低電力状態にある場合、（ｉ）無線通信媒体を介しての信号送信と、（ｉｉ）前記無線通信媒体を介しての信号受信との少なくともいずれか一方を行えず、
前記ネットワークインタフェースが前記アクティブ状態にある場合、（ｉ）前記無線通信媒体を介しての信号送信と、（ｉｉ）前記無線通信媒体を介しての信号受信との両方を行え、
前記アクティブ状態へ移行した後、通信チャネルが利用可能かどうかを判断し、
第２通信デバイスでバッファリングされた前記第１通信デバイスのためのデータを前記第１通信デバイスへ送信するよう前記第２通信デバイスに要求するリクエストを含むデータユニットを生成し、
前記通信チャネルが利用可能であるとの判断に応答し、前記通信チャネルを介して、前記リクエストを含む前記データユニットを前記第２通信デバイスへ送信し、
前記第２通信デバイスでバッファリングされた前記第１通信デバイスのための前記データが存在するかどうかの指示を、前記通信チャネルを介して前記第２通信デバイスから受信し、
前記第２通信デバイスでバッファリングされた前記第１通信デバイスのための前記データが存在する場合、前記第２通信デバイスでバッファリングされた前記第１通信デバイスのための前記データを前記第２通信デバイスから受信する、
第１通信デバイス。
【請求項３６】
前記ネットワークインタフェースは、前記リクエストを含む前記データユニットを、前記第２通信デバイスへ送信するデータも含めて生成する、請求項３５に記載の第１通信デバイス。
【請求項３７】
前記ネットワークインタフェースは、前記リクエストを含む前記データユニットの受信に対し確認応答する確認応答データユニットを、前記通信チャネルを介して前記第２通信デバイスから受信し処理する、請求項３５または３６に記載の第１通信デバイス。
【請求項３８】
前記確認応答データユニットは、前記第２通信デバイスでバッファリングされた前記第１通信デバイスのための前記データが存在するかどうかの前記指示を含む、請求項３７に記載の第１通信デバイス。
【請求項３９】
前記第２通信デバイスでバッファリングされた前記第１通信デバイスのための前記データが存在する場合、前記確認応答データユニットは、前記第２通信デバイスでバッファリングされた前記第１通信デバイスのための前記データを含む、請求項３７または３８に記載の第１通信デバイス。
【請求項４０】
前記ネットワークインタフェースは、前記第２通信デバイスでバッファリングされた前記第１通信デバイスのための前記データが存在するかどうかの前記指示に基づいた、前記第２通信デバイスでバッファリングされた前記第１通信デバイスのための前記データが存在しないとの判断に応答し、前記アクティブ状態から前記低電力状態へ移行する、請求項３５から３９のいずれか１項に記載の第１通信デバイス。
【請求項４１】
前記第２通信デバイスでバッファリングされた前記第１通信デバイスのための前記データが存在する場合、前記ネットワークインタフェースは、
前記第２通信デバイスでバッファリングされた前記第１通信デバイスのための前記データを受信すべく、前記低電力状態から前記アクティブ状態に移行する時間を決定し、
前記第２通信デバイスでバッファリングされた前記第１通信デバイスのための前記データが存在するかどうかの前記指示の受信の後、前記アクティブ状態から前記低電力状態へ移行し、
決定された前記時間において、前記低電力状態から前記アクティブ状態へ移行し、
前記第２通信デバイスでバッファリングされた前記第１通信デバイスのための前記データを前記第２通信デバイスから、前記決定された時間の後に受信する、
請求項３５から４０のいずれか１項に記載の第１通信デバイス。
【請求項４２】
前記ネットワークインタフェースは、
前記決定された時間の後、前記第２通信デバイスからビーコンデータユニットを受信し、
前記ビーコンデータユニットを処理し、前記第２通信デバイスでバッファリングされた前記第１通信デバイスのための前記データを受信すべく、前記低電力状態から前記アクティブ状態へ移行する次の時間を決定し、
前記ビーコンデータユニットの受信の後、前記アクティブ状態から前記低電力状態へ移行し、
決定された前記次の時間に、前記低電力状態から前記アクティブ状態に移行し、
前記第２通信デバイスでバッファリングされた前記第１通信デバイスのための前記データを前記第２通信デバイスから、前記決定された次の時間の後に受信する
請求項４１に記載の第１通信デバイス。
【請求項４３】
（ｉ）前記ネットワークインタフェースの前記低電力状態から前記アクティブ状態への前記移行と、（ｉｉ）前記リクエストを含む前記データユニットの前記第２通信デバイスへの前記送信との間に、前記第２通信デバイスはビーコンデータユニットを送信しない、請求項３５から４２のいずれか１項に記載の第１通信デバイス。
【請求項４４】
（ｉ）前記リクエストを含む前記データユニットの前記第２通信デバイスへの前記送信と、（ｉｉ）前記第２通信デバイスでバッファリングされた前記第１通信デバイスのための前記データの前記受信との間に、前記第１通信デバイスの前記ネットワークインタフェースは再度、前記低電力状態に入らない、請求項３５から４３のいずれか１項に記載の第１通信デバイス。
【手続補正２】
【補正対象書類名】明細書
【補正対象項目名】０１５８
【補正方法】変更
【補正の内容】
【０１５８】
例示のみを目的とし本願発明を限定しない特定の例を参照し本願発明を説明してきたが、本願発明の範囲から逸脱することなく、開示される実施形態の変更、追加、および／または削除などが可能である。
［項目１］
第１無線通信デバイスのネットワークインタフェースを、前記ネットワークインタフェースが（ｉ）無線通信媒体を介しての信号送信と、（ｉｉ）前記無線通信媒体を介しての信号受信との少なくともいずれか一方を行えない低電力状態から、前記ネットワークインタフェースが（ｉ）前記無線通信媒体を介しての信号送信と、（ｉｉ）前記無線通信媒体を介しての信号受信との両方を行えるアクティブ状態へ移行させる段階と、
前記ネットワークインタフェースを前記アクティブ状態へ移行させる前記段階の後、通信チャネルが利用可能かどうかを判断する段階と、
第２無線通信デバイスでバッファリングされた前記第１無線通信デバイスのためのデータを前記第１無線通信デバイスへ送信するよう前記第２無線通信デバイスに要求するリクエストを含むデータユニットを生成する段階と、
前記通信チャネルが利用可能であるとの判断に応答し、前記通信チャネルを介して、前記リクエストを含む前記データユニットを前記第２無線通信デバイスへ送信する段階と、
前記第２無線通信デバイスでバッファリングされた前記第１無線通信デバイスのための前記データが存在するかどうかの指示を、前記通信チャネルを介して前記第２無線通信デバイスから受信する段階と、
前記第２無線通信デバイスでバッファリングされた前記第１無線通信デバイスのための前記データが存在する場合、前記第２無線通信デバイスでバッファリングされた前記第１無線通信デバイスのための前記データを前記第２無線通信デバイスから受信する段階と
を備える方法。
［項目２］
前記リクエストを含む前記データユニットを生成する前記段階は、前記第２無線通信デバイスへ送信するデータを含めて前記データユニットを生成する段階を有する、項目１に記載の方法。
［項目３］
前記リクエストを含む前記データユニットの受信に対し確認応答する確認応答データユニットを、前記通信チャネルを介して前記第２無線通信デバイスから受信する段階をさらに備える、項目１または２に記載の方法。
［項目４］
前記確認応答データユニットは、前記第２無線通信デバイスでバッファリングされた前記第１無線通信デバイスのための前記データが存在するかどうかの前記指示を含む、項目３に記載の方法。
［項目５］
前記第２無線通信デバイスでバッファリングされた前記第１無線通信デバイスのための前記データが存在する場合、前記確認応答データユニットは、前記第２無線通信デバイスでバッファリングされた前記第１無線通信デバイスのための前記データを含む、項目３または４に記載の方法。
［項目６］
前記第２無線通信デバイスでバッファリングされた前記第１無線通信デバイスのための前記データが存在するかどうかの前記指示に基づいた、前記第２無線通信デバイスでバッファリングされた前記第１無線通信デバイスのための前記データが存在しないとの判断に応答し、前記第１無線通信デバイスの前記ネットワークインタフェースを前記アクティブ状態から前記低電力状態へ移行させる段階をさらに備える、項目１から５のいずれか１項に記載の方法。
［項目７］
前記第２無線通信デバイスでバッファリングされた前記第１無線通信デバイスのための前記データが存在する場合、
前記第２無線通信デバイスでバッファリングされた前記第１無線通信デバイスのための前記データを受信すべく、前記第１無線通信デバイスの前記ネットワークインタフェースを前記低電力状態から前記アクティブ状態に移行させる時間を決定する段階と、
前記第２無線通信デバイスでバッファリングされた前記第１無線通信デバイスのための前記データが存在するかどうかの前記指示の受信の後、前記第１無線通信デバイスの前記ネットワークインタフェースを前記アクティブ状態から前記低電力状態へ移行させる段階と、
決定された前記時間において、前記第１無線通信デバイスの前記ネットワークインタフェースを前記低電力状態から前記アクティブ状態へ移行させる段階と、
前記第２無線通信デバイスでバッファリングされた前記第１無線通信デバイスのための前記データを前記第２無線通信デバイスから、前記決定された時間の後に受信する段階と
をさらに備える、項目１から６のいずれか１項に記載の方法。
［項目８］
前記決定された時間の後、前記第２無線通信デバイスからビーコンデータユニットを受信する段階と、
前記ビーコンデータユニットを処理し、前記第２無線通信デバイスでバッファリングされた前記第１無線通信デバイスのための前記データを受信すべく、前記第１無線通信デバイスの前記ネットワークインタフェースを前記低電力状態から前記アクティブ状態へ移行させる次の時間を決定する段階と、
前記ビーコンデータユニットの受信の後、前記第１無線通信デバイスの前記ネットワークインタフェースを前記アクティブ状態から前記低電力状態へ移行させる段階と、
決定された前記次の時間に、前記第１無線通信デバイスの前記ネットワークインタフェースを前記低電力状態から前記アクティブ状態に移行させる段階と、
前記第２無線通信デバイスでバッファリングされた前記第１無線通信デバイスのための前記データを前記第２無線通信デバイスから、前記決定された次の時間の後に受信する段階と
をさらに備える、項目７に記載の方法。
［項目９］
（ｉ）前記ネットワークインタフェースを前記低電力状態から前記アクティブ状態へ移行させる前記段階と、（ｉｉ）前記リクエストを含む前記データユニットを前記第２無線通信デバイスへ送信する前記段階との間に、前記第２無線通信デバイスはビーコンデータユニットを送信しない、項目１から８のいずれか１項に記載の方法。
［項目１０］
（ｉ）前記リクエストを含む前記データユニットを前記第２無線通信デバイスへ送信する前記段階と、（ｉｉ）前記第２無線通信デバイスでバッファリングされた前記第１無線通信デバイスのための前記データを受信する前記段階との間に、前記第１無線通信デバイスの前記ネットワークインタフェースは再度、前記低電力状態に入らない、項目１から９のいずれか１項に記載の方法。
［項目１１］
無線通信ネットワークで用いられる第１通信デバイスであって、
低電力状態からアクティブ状態に移行するネットワークインタフェースを備え、
前記ネットワークインタフェースは、
前記ネットワークインタフェースが前記低電力状態にある場合、（ｉ）無線通信媒体を介しての信号送信と、（ｉｉ）前記無線通信媒体を介しての信号受信との少なくともいずれか一方を行えず、
前記ネットワークインタフェースが前記アクティブ状態にある場合、（ｉ）前記無線通信媒体を介しての信号送信と、（ｉｉ）前記無線通信媒体を介しての信号受信との両方を行え、
前記アクティブ状態へ移行した後、通信チャネルが利用可能かどうかを判断し、
第２通信デバイスでバッファリングされた前記第１通信デバイスのためのデータを前記第１通信デバイスへ送信するよう前記第２通信デバイスに要求するリクエストを含むデータユニットを生成し、
前記通信チャネルが利用可能であるとの判断に応答し、前記通信チャネルを介して、前記リクエストを含む前記データユニットを前記第２通信デバイスへ送信し、
前記第２通信デバイスでバッファリングされた前記第１通信デバイスのための前記データが存在するかどうかの指示を、前記通信チャネルを介して前記第２通信デバイスから受信し、
前記第２通信デバイスでバッファリングされた前記第１通信デバイスのための前記データが存在する場合、前記第２通信デバイスでバッファリングされた前記第１通信デバイスのための前記データを前記第２通信デバイスから受信する、
第１通信デバイス。
［項目１２］
前記ネットワークインタフェースは、前記リクエストを含む前記データユニットを、前記第２通信デバイスへ送信するデータも含めて生成する、項目１１に記載の第１通信デバイス。
［項目１３］
前記ネットワークインタフェースは、前記リクエストを含む前記データユニットの受信に対し確認応答する確認応答データユニットを、前記通信チャネルを介して前記第２通信デバイスから受信し処理する、項目１１または１２に記載の第１通信デバイス。
［項目１４］
前記確認応答データユニットは、前記第２通信デバイスでバッファリングされた前記第１通信デバイスのための前記データが存在するかどうかの前記指示を含む、項目１３に記載の第１通信デバイス。
［項目１５］
前記第２通信デバイスでバッファリングされた前記第１通信デバイスのための前記データが存在する場合、前記確認応答データユニットは、前記第２通信デバイスでバッファリングされた前記第１通信デバイスのための前記データを含む、項目１３または１４に記載の第１通信デバイス。
［項目１６］
前記ネットワークインタフェースは、前記第２通信デバイスでバッファリングされた前記第１通信デバイスのための前記データが存在するかどうかの前記指示に基づいた、前記第２通信デバイスでバッファリングされた前記第１通信デバイスのための前記データが存在しないとの判断に応答し、前記アクティブ状態から前記低電力状態へ移行する、項目１１から１５のいずれか１項に記載の第１通信デバイス。
［項目１７］
前記第２通信デバイスでバッファリングされた前記第１通信デバイスのための前記データが存在する場合、前記ネットワークインタフェースは、
前記第２通信デバイスでバッファリングされた前記第１通信デバイスのための前記データを受信すべく、前記低電力状態から前記アクティブ状態に移行する時間を決定し、
前記第２通信デバイスでバッファリングされた前記第１通信デバイスのための前記データが存在するかどうかの前記指示の受信の後、前記アクティブ状態から前記低電力状態へ移行し、
決定された前記時間において、前記低電力状態から前記アクティブ状態へ移行し、
前記第２通信デバイスでバッファリングされた前記第１通信デバイスのための前記データを前記第２通信デバイスから、前記決定された時間の後に受信する、
項目１１から１６のいずれか１項に記載の第１通信デバイス。
［項目１８］
前記ネットワークインタフェースは、
前記決定された時間の後、前記第２通信デバイスからビーコンデータユニットを受信し、
前記ビーコンデータユニットを処理し、前記第２通信デバイスでバッファリングされた前記第１通信デバイスのための前記データを受信すべく、前記低電力状態から前記アクティブ状態へ移行する次の時間を決定し、
前記ビーコンデータユニットの受信の後、前記アクティブ状態から前記低電力状態へ移行し、
決定された前記次の時間に、前記低電力状態から前記アクティブ状態に移行し、
前記第２通信デバイスでバッファリングされた前記第１通信デバイスのための前記データを前記第２通信デバイスから、前記決定された次の時間の後に受信する
項目１７に記載の第１通信デバイス。
［項目１９］
（ｉ）前記ネットワークインタフェースの前記低電力状態から前記アクティブ状態への前記移行と、（ｉｉ）前記リクエストを含む前記データユニットの前記第２通信デバイスへの前記送信との間に、前記第２通信デバイスはビーコンデータユニットを送信しない、項目１１から１８のいずれか１項に記載の第１通信デバイス。
［項目２０］
（ｉ）前記リクエストを含む前記データユニットの前記第２通信デバイスへの前記送信と、（ｉｉ）前記第２通信デバイスでバッファリングされた前記第１通信デバイスのための前記データの前記受信との間に、前記第１通信デバイスの前記ネットワークインタフェースは再度、前記低電力状態に入らない、項目１１から１９のいずれか１項に記載の第１通信デバイス。
［項目２１］
第１無線通信デバイスにより送信される信号を第２無線通信デバイスのネットワークインタフェースが受信できない低電力状態に前記ネットワークインタフェースがあるとの指示を、前記第１無線通信デバイスで受信する段階と、
前記第２無線通信デバイスの前記ネットワークインタフェースが前記低電力状態にあるとの前記指示の受信に応答し、前記第２無線通信デバイスのためのデータを前記第１無線通信デバイスでバッファリングする段階と、
前記第２無線通信デバイスの前記ネットワークインタフェースが前記低電力状態にないとの指示の受信の前に、前記第１無線通信デバイスでバッファリングされた前記第２無線通信デバイスのための前記データを前記第２無線通信デバイスに送信するよう要求するリクエストを含むデータユニットを前記第２無線通信デバイスから、前記第１無線通信デバイスで受信する段階と、
前記第１無線通信デバイスでバッファリングされた前記第２無線通信デバイスのための前記データが存在するかどうかを、前記第１無線通信デバイスで判断する段階と、
前記第１無線通信デバイスでバッファリングされた前記第２無線通信デバイスのための前記データが存在するかどうかの指示を、前記リクエストに応答して、前記第１無線通信デバイスにより前記第２無線通信デバイスへ送信する段階と、
前記第１無線通信デバイスでバッファリングされた前記第２無線通信デバイスのための前記データが存在すると判断された場合、前記第１無線通信デバイスでバッファリングされた前記第２無線通信デバイスのための前記データを、前記第１無線通信デバイスにより前記第２無線通信デバイスへ送信する段階と
を備える方法。
［項目２２］
前記リクエストを含む前記第２無線通信デバイスからの前記データユニットは、前記第１無線通信デバイスのためのデータも含む、項目２１に記載の方法。
［項目２３］
前記第２無線通信デバイスからの前記データユニットの受信に対し確認応答する確認応答データユニットを、前記第２無線通信デバイスへ送信する段階をさらに備える、項目２１または２２に記載の方法。
［項目２４］
前記確認応答データユニットは、前記第１無線通信デバイスでバッファリングされた前記第２無線通信デバイスのための前記データが存在するかどうかの前記指示を含む、項目２３に記載の方法。
［項目２５］
前記第１無線通信デバイスでバッファリングされた前記第２無線通信デバイスのための前記データが存在する場合、前記確認応答データユニットは、前記第１無線通信デバイスでバッファリングされた前記第２無線通信デバイスのための前記データを含む、項目２３または２４に記載の方法。
［項目２６］
前記第１無線通信デバイスでバッファリングされた前記第２無線通信デバイスのための前記データが存在するかどうかを判断する前記段階は、前記第１無線通信デバイスのメモリに格納されたビットマップを分析する段階を有し、
前記ビットマップの１ビットは、前記第２無線通信デバイスに対応し、
前記１ビットは、前記第１無線通信デバイスでバッファリングされた前記第２無線通信デバイスのための前記データが存在するかどうかを示す、
項目２１から２５のいずれか１項に記載の方法。
［項目２７］
前記第１無線通信デバイスでバッファリングされた前記第２無線通信デバイスのための前記データが存在するかどうかの前記指示を送信する前記段階は、前記第１無線通信デバイスのメモリに格納されたビットマップの少なくとも一部を送信する段階を有し、
前記ビットマップの１ビットは、前記第２無線通信デバイスに対応し、
前記１ビットは、前記第１無線通信デバイスでバッファリングされた前記第２無線通信デバイスのための前記データが存在するかどうかを示す、
項目２１から２５のいずれか１項に記載の方法。
［項目２８］
前記第１無線通信デバイスでバッファリングされた複数の通信デバイスのためのデータが存在するかどうかを示す、前記第１無線通信デバイスのメモリに格納された前記第２無線通信デバイスの識別子に関連するビットマップを分析し、サイズの小さなビットマップを生成する段階をさらに備え、
前記第１無線通信デバイスでバッファリングされた前記第２無線通信デバイスのための前記データが存在するかどうかの前記指示を送信する前記段階は、前記サイズの小さなビットマップを送信する段階を有する、
項目２１から２５のいずれか１項に記載の方法。
［項目２９］
前記第１無線通信デバイスでバッファリングされた前記第２無線通信デバイスのための前記データが存在すると判断された場合、前記第１無線通信デバイスでバッファリングされた前記第２無線通信デバイスのための前記データを、前記第１無線通信デバイスがいつ送信できる状態になるのかに関する遅延時間の指示を、前記第１無線通信デバイスにより前記第２無線通信デバイスへ送信する段階をさらに備える、項目２１から２８のいずれか１項に記載の方法。
［項目３０］
前記遅延時間は、前記第１無線通信デバイスにより送信される次のビーコンデータユニットに対応する、項目２９に記載の方法。
［項目３１］
前記第１無線通信デバイスでバッファリングされた前記第２無線通信デバイスのための前記データが存在すると判断された場合、
前記第１無線通信デバイスでバッファリングされた前記第２無線通信デバイスのための前記データを送信するスケジュールを決定する段階と、
前記スケジュールの指示を前記第１無線通信デバイスにより前記第２無線通信デバイスへ送信する段階と
をさらに備える、項目２１から３０のいずれか１項に記載の方法。
［項目３２］
（ｉ）前記第２無線通信デバイスのためのブロードキャストデータユニットおよび／またはマルチキャストデータユニットを前記第１無線通信デバイスがいつ送信するのかの、前記第２無線通信デバイスによる判断を補助する情報と、（ｉｉ）タイムスタンプと、（ｉｉｉ）ベーシックサービスセット（ＢＳＳ）内の通信パラメータの変更に関する情報とのうち１以上を、前記リクエストに応答し、前記第１無線通信デバイスにより前記第２無線通信デバイスへ送信する段階をさらに備える、項目２１から３１のいずれか１項に記載の方法。
［項目３３］
無線通信ネットワークで用いられる第１通信デバイスであって、
ネットワークインタフェースを備え
前記ネットワークインタフェースは、
第１通信デバイスにより送信される信号を第２通信デバイスのネットワークインタフェースが受信できない低電力状態に前記ネットワークインタフェースがあるとの前記第２通信デバイスからの指示の受信に応答し、前記第２通信デバイスのためのデータをバッファリングし、
前記第１通信デバイスでバッファリングされた前記第２通信デバイスのための前記データが存在するかどうかを判断し、
前記第１通信デバイスでバッファリングされた前記第２通信デバイスのための前記データを前記第２通信デバイスに送信するよう要求するリクエストを含む、前記第２通信デバイスから受信したデータユニットに応答し、かつ、前記第２通信デバイスの前記ネットワークインタフェースが前記低電力状態にないとの指示の受信の前に、前記第１通信デバイスでバッファリングされた前記第２通信デバイスのための前記データが存在するかどうかの指示を前記第２通信デバイスへ送信し、
前記第１通信デバイスでバッファリングされた前記第２通信デバイスのための前記データが存在すると判断された場合、前記第１通信デバイスでバッファリングされた前記第２通信デバイスのための前記データを、前記第２通信デバイスへ送信する、
第１通信デバイス。
［項目３４］
前記リクエストを含む前記第２通信デバイスからの前記データユニットは、前記第１通信デバイスのためのデータも含む、項目３３に記載の第１通信デバイス。
［項目３５］
前記ネットワークインタフェースは、前記第２通信デバイスからの前記データユニットの受信に対し確認応答する確認応答データユニットを、前記第２通信デバイスへ送信する、項目３３または３４に記載の第１通信デバイス。
［項目３６］
前記確認応答データユニットは、前記第１通信デバイスでバッファリングされた前記第２通信デバイスのための前記データが存在するかどうかの前記指示を含む、項目３５に記載の第１通信デバイス。
［項目３７］
前記第１通信デバイスでバッファリングされた前記第２通信デバイスのための前記データが存在する場合、前記ネットワークインタフェースは、前記第１通信デバイスでバッファリングされた前記第２通信デバイスのための前記データを含めて前記確認応答データユニットを生成する、項目３５または３６に記載の第１通信デバイス。
［項目３８］
前記ネットワークインタフェースは、前記第１通信デバイスのメモリに格納されたビットマップを分析し、前記第１通信デバイスでバッファリングされた前記第２通信デバイスのための前記データが存在するかどうかを判断し、
前記ビットマップの１ビットは、前記第２通信デバイスに対応し、
前記１ビットは、前記第１通信デバイスでバッファリングされた前記第２通信デバイスのための前記データが存在するかどうかを示す、
項目３３から３７のいずれか１項に記載の第１通信デバイス。
［項目３９］
前記ネットワークインタフェースは、前記第１通信デバイスでバッファリングされた前記第２通信デバイスのための前記データが存在するかどうかの前記指示として、前記第１通信デバイスのメモリに格納されたビットマップの少なくとも一部を送信し、
前記ビットマップの１ビットは、前記第２通信デバイスに対応し、
前記１ビットは、前記第１通信デバイスでバッファリングされた前記第２通信デバイスのための前記データが存在するかどうかを示す、
項目３３から３７のいずれか１項に記載の第１通信デバイス。
［項目４０］
前記ネットワークインタフェースは、
前記第１通信デバイスでバッファリングされた複数の通信デバイスのためのデータが存在するかどうかを示す、前記第１通信デバイスのメモリに格納された前記第２通信デバイスの識別子に関連するビットマップを分析し、サイズの小さなビットマップを生成し、
前記サイズの小さなビットマップを前記第２通信デバイスへ送信する、
項目３３から３７のいずれか１項に記載の第１通信デバイス。
［項目４１］
前記第１通信デバイスでバッファリングされた前記第２通信デバイスのための前記データが存在すると判断された場合、前記ネットワークインタフェースは、前記第１通信デバイスでバッファリングされた前記第２通信デバイスのための前記データを、前記第１通信デバイスがいつ送信できる状態になるのかに関する遅延時間の指示を、前記第２通信デバイスへ送信する、項目３３から４０のいずれか１項に記載の第１通信デバイス。
［項目４２］
前記遅延時間は、前記第１通信デバイスにより送信される次のビーコンデータユニットに対応する、項目４１に記載の第１通信デバイス。
［項目４３］
前記第１通信デバイスでバッファリングされた前記第２通信デバイスのための前記データが存在すると判断された場合、前記ネットワークインタフェースは、
前記第１通信デバイスでバッファリングされた前記第２通信デバイスのための前記データを送信するスケジュールを決定し、
前記スケジュールの指示を前記第２通信デバイスへ送信する
項目３３から４２のいずれか１項に記載の第１通信デバイス。
［項目４４］
前記ネットワークインタフェースは、（ｉ）前記第２通信デバイスのためのブロードキャストデータユニットおよび／またはマルチキャストデータユニットを前記第１通信デバイスがいつ送信するのかの、前記第２通信デバイスによる判断を補助する情報と、（ｉｉ）タイムスタンプと、（ｉｉｉ）ベーシックサービスセット（ＢＳＳ）内の通信パラメータの変更に関する情報とのうち１以上を、前記リクエストに応答し、前記第２通信デバイスへ送信する、項目３３から４３のいずれか１項に記載の第１通信デバイス。
［項目４５］
クライアント局から少なくとも１つのフレームを受信していないことに起因して前記クライアント局との接続をアクセスポイントデバイスが解除しない期間を示す第１パラメータの第１の値を、前記アクセスポイントデバイスにより第１ベーシックサービスセット（第１ＢＳＳ）内の１以上の第１クライアント局へ送信する段階と、
前記アクセスポイントにより、前記第１パラメータの第２の値を第２ベーシックサービスセット（第２ＢＳＳ）内の１以上の第２クライアント局へ送信する段階と
を備え、
前記第１パラメータの前記第１の値は、前記第１パラメータの前記第２の値よりも少なくとも一桁大きい、方法。
［項目４６］
第１クライアント局に対応する第２パラメータの値を前記第１クライアント局から前記アクセスポイントデバイスで受信する段階をさらに備え、
前記第２パラメータは、前記第１ＢＳＳ内の前記第１クライアント局が電力節約モードを定期的に解除する期間を示し、
前記第２パラメータの前記値は、前記第１パラメータの前記第２の値よりも長い期間に対応する、項目４５に記載の方法。
［項目４７］
前記アクセスポイントデバイスが利用する基本データレートを示す第２パラメータの第１の値を、前記アクセスポイントデバイスにより前記１以上の第１クライアント局へ送信する段階と、
前記第２パラメータの前記第１の値と異なる前記第２パラメータの第２の値を、前記アクセスポイントデバイスにより前記１以上の第２クライアント局へ送信する段階と
をさらに備える、項目４５に記載の方法。
［項目４８］
前記アクセスポイントデバイスが利用する暗号化モードを示す第２パラメータの第１の値を、前記アクセスポイントデバイスにより前記１以上の第１クライアント局へ送信する段階と、
前記第２パラメータの前記第１の値と異なる前記第２パラメータの第２の値を、前記アクセスポイントデバイスにより前記１以上の第２クライアント局へ送信する段階と
をさらに備える、項目４５に記載の方法。
［項目４９］
前記第１パラメータの前記第１の値は、１時間よりも長く、
前記第１パラメータの前記第２の値は、１分よりも短い、項目４５から４８のいずれか１項に記載の方法。
［項目５０］
無線通信ネットワークで用いられ、ネットワークインタフェースを備えるアクセスポイントデバイスであって、
前記ネットワークインタフェースは、
クライアント局から少なくとも１つのフレームを受信していないことに起因して前記クライアント局との接続をアクセスポイントデバイスが解除しない期間を示す第１パラメータの第１の値を、第１ベーシックサービスセット（第１ＢＳＳ）内の１以上の第１クライアント局へ送信し、
前記第１パラメータの第２の値を第２ベーシックサービスセット（第２ＢＳＳ）内の１以上の第２クライアント局へ送信し、
前記第１パラメータの前記第１の値は、前記第１パラメータの前記第２の値よりも少なくとも一桁大きい、
アクセスポイントデバイス。
［項目５１］
前記ネットワークインタフェースは、１つの第１クライアント局からの連続するフレームの受信と受信との間の時間が前記第１パラメータの前記第１の値よりも短く、前記第１パラメータの前記第２の値よりも長い場合、前記１つの第１クライアント局が前記アクセスポイントデバイスと接続されたままでいることを許可する、項目５０に記載のアクセスポイントデバイス。
［項目５２］
前記ネットワークインタフェースは、
前記アクセスポイントデバイスが利用する基本データレートを示す第２パラメータの第１の値を、前記１以上の第１クライアント局へ送信し
前記第２パラメータの前記第１の値と異なる前記第２パラメータの第２の値を、前記１以上の第２クライアント局へ送信する
項目５０または５１に記載のアクセスポイントデバイス。
［項目５３］
前記ネットワークインタフェースは、
前記アクセスポイントデバイスが利用する暗号化モードを示す第２パラメータの第１の値を、前記１以上の第１クライアント局へ送信し、
前記第２パラメータの前記第１の値と異なる前記第２パラメータの第２の値を、前記１以上の第２クライアント局へ送信する、
項目５０から５２のいずれか１項に記載のアクセスポイントデバイス。
［項目５４］
前記第１パラメータの前記第１の値は、１時間よりも長く、
前記第１パラメータの前記第２の値は、１分よりも短い、項目５０から５３のいずれか１項に記載のアクセスポイントデバイス。
［項目５５］
１以上の電力に制約があるセンサデバイスと関連付けられた第１データユニットを、無線ネットワークで送信する段階と、
セルラー電話データのオフロードと関連付けられた第２データユニットを、前記無線ネットワークで送信する段階と
を備え、
無線媒体へのアクセスに関し、前記第２データユニットの送信よりも、前記第１データユニットの送信が優先される、方法。
［項目５６］
前記無線ネットワーク内の局のネットワークインタフェースが前記無線媒体へのアクセスを試みた場合、前記ネットワークインタフェースは、まず少なくともチャネルスキャニング遅延期間の間、前記無線媒体をモニタリングし、前記無線媒体がビジーであるかどうかを判断し、
前記第１データユニットの送信に関連する第１チャネルスキャニング遅延期間は、前記第２データユニットの送信に関連する第２チャネルスキャニング遅延期間よりも短い、
項目５５に記載の方法。
［項目５７］
前記無線ネットワーク内の局のネットワークインタフェースが前記無線媒体へのアクセスを試み、前記無線媒体がビジーであると判断した場合、前記ネットワークインタフェースは、（ｉ）バックオフ期間を決定し、（ｉｉ）前記無線媒体へのアクセスを再び試みる前に、前記バックオフ期間だけ待機し、
前記第１データユニットの送信に関連する第１バックオフ期間の平均は、前記第２データユニットの送信に関連する第２バックオフ期間の平均よりも短い、
項目５５に記載の方法。
［項目５８］
セルラー電話データのオフロードに対応する前記無線ネットワークの各送信は、他のタイプの送信に対応する第２最大期間よりも短い第１最大期間に制限される、項目５５から５７のいずれか１項に記載の方法。
［項目５９］
前記無線ネットワークでの送信は、最小帯域幅を含む複数の異なる帯域幅のうち１つで行われ、
セルラー電話データのオフロードに対応する前記無線ネットワークでの送信は、前記最小帯域幅よりも大きな帯域幅を用いてのみ許可される、項目５５から５８のいずれか１項に記載の方法。
［項目６０］
セルラー電話データのオフロードの送信に対応する送信機会（ＴＸＯＰ）の延長は許可されない、項目５５に記載の方法。
［項目６１］
前記無線ネットワークの送信機会（ＴＸＯＰ）の期間が打ち切られた場合、少なくとも、打ち切られる前の前記ＴＸＯＰの元の期間が終了するまでセルラー電話データのオフロードの送信を待機する、項目５５から６０のいずれか１項に記載の方法。
［項目６２］
ネットワークインタフェースを備える装置であって、
前記ネットワークインタフェースは、
セルラー電話データのオフロードと関連付けられた第１データユニットを、無線ネットワークで送信し、
無線媒体へのアクセスに関し、前記第１データユニットの送信よりも、前記無線ネットワーク内の１以上の電力に制約があるセンサデバイスと関連付けられた第２データユニットの送信を優先する、
装置。
［項目６３］
前記ネットワークインタフェースが前記無線媒体へのアクセスを試みた場合、前記ネットワークインタフェースは、まず少なくともチャネルスキャニング遅延期間の間、前記無線媒体をモニタリングし、前記無線媒体がビジーであるかどうかを判断し、
前記第１データユニットの送信に関連する第１チャネルスキャニング遅延期間は、前記第２データユニットを送信する際に前記無線ネットワーク内の局が利用する第２チャネルスキャニング遅延期間よりも長い、項目６２に記載の装置。
［項目６４］
前記ネットワークインタフェースが前記無線媒体へのアクセスを試み、前記無線媒体がビジーであると判断した場合、前記ネットワークインタフェースは、（ｉ）バックオフ期間を決定し、（ｉｉ）前記無線媒体へのアクセスを再び試みる前に、前記バックオフ期間だけ待機し、
前記第１データユニットの送信に関連する第１バックオフ期間の平均は、前記第２データユニットの送信に関連する第２バックオフ期間の平均よりも長い、
項目６２または６３に記載の装置。
［項目６５］
前記ネットワークインタフェースは、前記セルラー電話データの前記オフロードに対応する前記無線ネットワークの送信を、他のタイプの送信に対応する第２最大期間よりも短い第１最大期間に制限する、項目６２から６４のいずれか１項に記載の装置。
［項目６６］
前記ネットワークインタフェースは、
前記無線ネットワークで、最小帯域幅を含む複数の異なる帯域幅のうち１つでデータユニットを送信し、
前記無線ネットワークで、前記最小帯域幅よりも大きな帯域幅を用いてのみ、前記セルラー電話データの前記オフロードに対応するデータユニットを送信する
項目６２から６５のいずれか１項に記載の装置。
［項目６７］
前記ネットワークインタフェースは、
前記セルラー電話データの前記オフロードの送信に対応する送信機会（ＴＸＯＰ）の延長を許可せず、
他のタイプのデータの送信に対応するＴＸＯＰの延長を許可する、
項目６２から６６のいずれか１項に記載の装置。
［項目６８］
前記無線ネットワークの送信機会（ＴＸＯＰ）の期間が打ち切られた場合、前記ネットワークインタフェースは、少なくとも、打ち切られる前の前記ＴＸＯＰの元の期間が終了するまで待機してから前記セルラー電話データの前記オフロードに対応する送信を試みる、項目６２から６７のいずれか１項に記載の装置。